(57)【要約】【課題】使用者が着座した状態であっても操作アームの揺動開始位置、背当てパッドと脚当て部の設置位置の設定を容易にする。【解決手段】操作アーム２によって脊柱起立筋の鍛錬を行なうトレーニングマシーン１であり、操作アーム２は、ウェイト４００に連結されると共に揺動可能に支持されたメインアーム２０と、メインアーム２０に揺動可能に設けられ前記鍛錬を行う使用者の背中部の接触圧を受ける背当てパッド２１と、背当てパッド２１の設置位置を選択手段として設定レバー２３と、メインアーム２０の揺動開始位置の選択手段としての設定グリップ２４と、前記設置位置を固定するための位置決め穴２５１が設けられた位置決め部２５と、前記揺動開始位置を固定するための位置決め穴２６１が設けられたチェンジプレート２６とを備える。脚当て部３７は脚当て部３７の位置を選択する手段として位置選択レバー３７３を備える。【選択図】  図１
2006212320.tif 000002
【特許請求の範囲】
【請求項１】
荷重負荷装置に設置されたウェイトに連結された操作アームを揺動させて脊柱起立筋の鍛錬を行なうトレーニングマシーンにおいて、
前記操作アームは、前記ウェイトに連結されると共に揺動可能に支持されたメインアームと、前記メインアームに揺動可能に設けられ前記鍛錬を行う使用者の背中部の接触圧を受ける背当てパッドと、前記メインアームの揺動軸の近傍に設けられると共に前記背当てパッドに連結され前記メインアームに対する背当てパッドの設置位置を選択できる選択手段とを備えたこと
を特徴とするトレーニングマシーン。
【請求項２】
前記メインアームは前記選択手段によって選択される背当てパッドの設置位置を固定するための位置決め部を備えたことを特徴とする請求項１記載のトレーニングマシーン。
【請求項３】
前記選択手段は往復動可能なピンを備える一方で、前記位置決め部においては前記設置位置として前記ピンが解除可能に挿入される位置決め穴が複数形成されたことにより、背当てパッドの設置位置を選択できることを特徴とする請求項２記載のトレーニングマシーン。
【請求項４】
前記メインアームは揺動軸の下側に前記メインアームの揺動開始位置を選択する揺動開始位置選択手段を備えたことを特徴とする請求項１から３のいずれか１項に記載のトレーニングマシーン。
【請求項５】
前記メインアームの揺動軸は前記揺動開始位置選択手段によって選択される前記メインアームの揺動開始位置を固定するための揺動開始位置決め部を備えたことを特徴とする請求項４記載のトレーニングマシーン。
【請求項６】
前記選択手段は往復動可能なピンを備える一方で、前記揺動開始位置決め部においては前記揺動開始位置として前記ピンが解除可能に挿入される位置決め穴が複数形成されたことにより前記メインアームの揺動開始位置を選択できることを特徴とする請求項５記載のトレーニングマシーン。
【請求項７】
前記トレーニングマシーンは、前記鍛錬を行う使用者の脚の接触圧を受ける脚当て部と、この脚当て部を前記使用者に対して往復動可能に支持する支持部とを備えたことを特徴とする請求項１から６のいずれか１項に記載のトレーニングマシーン。
【請求項８】
前記脚当て部は前記使用者に対する設置位置を選択する設置位置選択手段を備えると共に、前記支持部は設置位置選択手段によって選択される前記設置位置を固定するための設置位置決め部を備えたことを特徴とする請求項７記載のトレーニングマシーン。
【請求項９】
前記設置位置選択手段は往復動可能なピンを備える一方で、前記設置位置決め部においては前記設置位置として前記ピンが解除可能に挿入される位置決め穴が複数形成されたことにより前記脚当て部の設置位置を選択できることを特徴とする請求項８記載のトレーニングマシーン。
【発明の詳細な説明】
【技術分野】
【０００１】
本発明は、所定部位の筋肉、特に、脊柱起立筋を鍛錬するためのトレーニングマシーン、所謂、バックエクステンション型のトレーニングマシーンに関する。
【背景技術】
【０００２】
図９は、従来のバックエクステンション型トレーニングマシーンの一例を示した側面図である。図示されたトレーニングマシーン９は操作アーム９０と着座部９１と荷重負荷装置９２とを備える。
【０００３】
操作アーム９０は、メインアーム９０１と背当てパッド９０２とバランスウェイト９０３とを備える。背当てパッド９０２は、円筒形状に形成されており、メインアーム９０１の一方の端部に遊転可能に設けられている。バランスウェイト９０３はメインアーム９０１の他方の端部に設けられている。
【０００４】
メインアーム９０１は荷重負荷装置９２を支持するフレーム９３１において回転可能に支持されたシャフト９３２によって遊転可能に設けられている。シャフト９３２は、荷重負荷装置９２内に設置されたウェイト９２０に繋がれた索条９２１が連結された図示省略のカムを備えると共に、メインアーム９０１とフレーム９３１との間にチェンジプレート９３３を備えている。チェンジプレート９３３には、メインアーム９０１の遊転範囲を制限するための長穴９３４と、メインアーム９０１の揺動開始位置を設定するための位置決め穴９３５とが形成されている。位置決め穴９３５は、複数形成されており、メインアーム９０１に設けられたノブ９３６によって選択可能となっている。ノブ９３６は図示省略されたスプリングによって付勢された図示省略のピンを備える。そして、このピンがいずれかの位置決め穴９３５に挿入されることで、メインアーム９０１の揺動開始位置が任意に選択されるようになっている。尚、チェンジプレート９３３には長穴９３４が形成されると共にメインアーム９０１のチェンジプレート９３３側の側面には長穴９３４に収容される図示省略したストッパーが設けられることで、前記揺動開始位置が制限されている。
【０００５】
背当てパッド９０２は、図１０Ａに示したように、メインアーム９０１の一端側において回転軸９０４によって遊転可能となるように設けられたチェンジプレート９０５に接続された固定アーム９０６に付帯されている。チェンジプレート９０５には背当てパッド９０２の設置位置を設定するための位置決め穴９０７が複数形成されている。また、背当てパッド９０２の設置位置は、メインアーム９０１に設けられたノブ９０８によって選択可能となっている。ノブ９０８は、図１０Ｂに示されたように、スプリング９０１ｂによって付勢されたピン９０９を備える。ピン９０９はメインアーム９０１に設置されたスプリングケース９０１ａに収納されたスプリング９０１ｂによって付勢されている。そして、ピン９０９がいずれかの位置決め穴９０７に挿入されることにより背当てパッド９０２の設置位置が任意に設定されるようになっている。尚、チェンジプレート９０５にも長穴９０５ａが形成されると共にメインアーム９０１のチェンジプレート９０５側の側面に長穴９０５ａに収容されるストッパー９０１ｃが設けられることで、前記設置位置が制限されている。
【０００６】
トレーニングマシーン９は、荷重負荷装置９２のウェイトフレーム９２２内で昇降可能なウェイト９２０が選択された負荷に抗して操作アーム９０を図９に示した矢印方向に揺動させることにより、脊柱起立筋を鍛錬できるようになっている。すなわち、使用者がシートパッド９１０に着座して脚当て部である脚当てパッド９１１に宛がい、背中を背当パッド９０２に当接させて荷重負荷装置９２に設置されたウェイト９２０の重量に抗しながら操作アーム９０を矢印方向に揺動させると、前記使用者の所定筋肉部位、特に脊柱起立筋に負担がかかり、この筋肉部位の鍛練が行なえるようになる。
【０００７】
以上述べたバックエクステンション型のトレーニングマシーンの一例としては、非特許文献１に公開されたトレーニングマシーンが知られている。また、前記バックエクステンション型のトレーニングマシーンではないが、前記背当てパッドの位置を変える手段と同じ原理でパッドの位置を変えるための手段を備えたトレーニングマシーンの一例として特許文献１に示された筋力鍛錬装置が挙げられる。
【非特許文献１】セノー株式会社ホームページ，”製品・サービス／フィットネス”，［Ｏｎｌｉｎｅ］，２００４年６月１日公開，２００４年１２月２７日検索，インターネット＜ｈｔｔｐ：／／ｗｗｗ．ｓｅｎｏｈ．ｃｏ．ｊｐ／ｆｉｔｎｅｓｓ／ｓｈａｆｔ／ｂｍ６９ｈｔｍ＞
【特許文献１】特開平９−２９４８２５号公報（段落番号０００３及び図５〜図７）
【発明の開示】
【発明が解決しようとする課題】
【０００８】
トレーニングマシーン９においては、操作アーム９０の揺動開始位置はメインアーム９０１に具備されたノブ９３６によって選択される。この際、使用者のトレーニングに付き添う者がノブ９３６を操作するか、または使用者自身が着座部９１から降りた状態でノブ９３６を操作しなければならない。このとき、いずれの場合であっても、前記揺動開位置の選択操作時にメインアーム９０１を片手で支えなければならない。
【０００９】
また、背当てパッド９０２の設置位置の設定もメインアーム９０１に具備されたノブ９０８によって選択される。このときも、使用者のトレーニングに付き添う者がノブ９０８を操作するか、または使用者自身が着座部９１から降りた状態でノブ９０８を操作しなければならない。この際、いずれの場合であっても前記設置位置の選択操作時に背当てパッド９０２を片手で支えなければならない。
【００１０】
さらに、脚当てパッド９１１も、脚当てパッド９１１や背当てパッド９０２と同様に使用者自身が着座部９１から降りた状態でノブを操作することによって設置位置を設定しなければならない。
【００１１】
このように、従来技術に係るトレーニングマシーン９は操作アーム９０の揺動開始位置や、背当てパッド９０２及び脚当てパッド９１１の設置位置の設定作業が実際煩わしいものとなっている。
【００１２】
本発明は、かかる事情に鑑みなされたもので、その目的は、使用者が着座した状態であっても操作アームの揺動開始位置、背当てパッドさらには脚当て部の設置位置の設定を容易に行えるトレーニングマシーンの提供にある。
【課題を解決するための手段】
【００１３】
そこで、請求項１記載のトレーニングマシーンは、荷重負荷装置に設置されたウェイトに連結された操作アームを揺動させて脊柱起立筋の鍛錬を行なうトレーニングマシーンにおいて、前記操作アームは、前記ウェイトに連結されると共に揺動可能に支持されたメインアームと、前記メインアームに揺動可能に設けられ前記鍛錬を行う使用者の背中部の接触圧を受ける背当てパッドと、前記メインアームの揺動軸の近傍に設けられると共に前記背当てパッドに連結され且つ前記メインアームに対する背当てパッドの設置位置を選択できる選択手段とを備える。
【００１４】
請求項２記載のトレーニングマシーンは、請求項１記載のトレーニングマシーンにおいて、前記メインアームは前記選択手段によって選択される背当てパッドの設置位置を固定するための位置決め部を備える。
【００１５】
請求項３記載のトレーニングマシーンは、請求項２記載のトレーニングマシーンにおいて、前記選択手段は往復動可能なピンを備える一方で、前記位置決め部においては前記設置位置として前記ピンが解除可能に挿入される位置決め穴が複数形成されたことにより、背当てパッドの設置位置を選択できる。
【００１６】
請求項４記載のトレーニングマシーンは、請求項１から３のいずれか１項に記載のトレーニングマシーンにおいて、前記メインアームは揺動軸の下側に前記メインアームの揺動開始位置を選択する揺動開始位置選択手段を備える。
【００１７】
請求項５記載のトレーニングマシーンは、請求項４記載のトレーニングマシーンにおいて、前記メインアームの揺動軸は前記揺動開始位置選択手段によって選択される前記メインアームの揺動開始位置を固定するための揺動開始位置決め部を備える。
【００１８】
請求項６記載のトレーニングマシーンは、請求項５記載のトレーニングマシーンにおいて、前記選択手段は往復動可能なピンを備える一方で、前記揺動開始位置決め部においては前記揺動開始位置として前記ピンが解除可能に挿入される位置決め穴が複数形成されたことにより前記メインアームの揺動開始位置を選択できる。
【００１９】
請求項７記載のトレーニングマシーンは、請求項１から６のいずれか１項に記載のトレーニングマシーンにおいて、前記トレーニングマシーンは、前記鍛錬を行う使用者の脚の接触圧を受ける脚当て部と、この脚当て部を前記使用者に対して往復動可能に支持する支持部とを備える。
【００２０】
請求項８記載のトレーニングマシーンは、請求項７記載のトレーニングマシーンにおいて、前記脚当て部は前記使用者に対する設置位置を選択する設置位置選択手段を備えると共に、前記支持部は設置位置選択手段によって選択される前記設置位置を固定するための設置位置決め部を備える。
【００２１】
請求項９記載のトレーニングマシーンは、請求項８記載のトレーニングマシーンにおいて、前記設置位置選択手段は往復動可能なピンを備える一方で、前記設置位置決め部においては前記設置位置として前記ピンが解除可能に挿入される位置決め穴が複数形成されたことにより前記脚当て部の設置位置を選択できる。
【発明の効果】
【００２２】
以上のように本発明に係る請求項１〜９記載のトレーニングマシーンによれば、使用者が着座した状態であっても背当てパッドの設置位置を容易に設定できる。
【００２３】
また、請求項４〜６のトレーニングマシーンによれば、使用者が着座した状態であっても操作アームの揺動開始位置と背当てパッドの設置位置を容易に設定できる。
【００２４】
さらに、請求項７〜９のトレーニングマシーンによれば、使用者が着座した状態であっても操作アームの揺動開始位置、さらには背当てパッド及び脚当て部の設置位置を容易に設定できる。
【発明を実施するための最良の形態】
【００２５】
以下、図面を参照しながら本発明の実施形態例について説明する。
【００２６】
図１〜図３は本発明のトレーニングマシーンの実施形態例を示す。特に、図１はトレーニングマシーンの側面図である。図２は前記トレーニングマシーンの背面図である。図３は前記トレーニングマシーンの平面図である。
【００２７】
トレーニングマシーン１は、脊柱起立筋の鍛錬を行なう所謂バックエクステンション型のトレーニングマシーンであり、トレーニングを行う使用者によって操作される操作アーム２と、前記使用者が着座する着座部３と、操作アーム２によって昇降されるウェイト４０が設置された荷重負荷装置４とを備える。
【００２８】
操作アーム２は、図１〜図３に示されたように、背当てパッド２１とバランスウェイト２２を備えたメインアーム２０において、背当てパッド２１の設置位置を選択する手段としての設定レバー２３と、メインアーム２０の揺動開始位置を選択する手段としての設定グリップ２４と、前記設置位置を固定するための位置決め部２５と、前記揺動開始位置を固定するためのチェンジプレート２６とを備える。背当てパッド２１はメインアーム２０の上端部付近の側面において使用者側に突出すると共に着座部３のシートパッド３１と平行となるように設けられている。バランスウェイト２２は図４Ａに示されたメインアーム２０のもう一方の端部にボルト２２０等によって固定されている。
【００２９】
メインアーム２０は揺動軸である回転軸２７によって遊転可能に支持されている。回転軸２７は図１に示されたように荷重負荷装置４のウェイトフレーム４１に固定された支持部４２によって回転可能に支持されている。支持部４２は図４Ａに示されたように回転軸２７を回転可能に支持させる一対のベアリング４２１を備えている。回転軸２７にはメインアーム２０と支持部４２との間に連結アーム２８が設けられている。連結アーム２８は図１及び図２に示されたように荷重負荷装置４内のウェイト４０を操作アーム２に連結させている。連結アーム２８は図４Ａに示されたように一対のベアリング２８１を介して回転軸２７に設けられている。連結アーム２８は図１に示されたように上端部に滑車２８２を備える一方で、下端部には図４Ａに示されたように支持部４２に設けられたストッパー４２２と当接するストッパー２８３を備える。滑車２８２には索条４３が連結されている。索条４３は荷重負荷装置４内に設置されたウェイト４０に繋がれている。
【００３０】
着座部３は、図１に示されたように前記使用者が着座するシートパッド３１と、前記使用者の腰部を支えるランバーサポートパッド３２とを備える。ランバーサポートパッド３２は支持部３０に直接設けられている。また、支持部３０にはトレーニング時に前記使用者によって適宜握られる一対のハンドグリップ３９が設けられている。シートパッド３１は支持アーム３３を介して支持部３０に設けられている。支持アーム３３は支持部３０とこれに設けられた支持部３４によって支持されている。支持部３０は図１〜図３に示されたように連結部３８によって荷重負荷装置４と連結されていると共にストッパー３５によって床面において支持されている。支持部３０には図１及び図３に示されたように前記使用者がシートパッド３１に着座したときその使用者の足が置かれるステップシート３６が設置されている。一方、支持部３４には前記使用者のトレーニングを行う時に前記使用者の両脚が宛がわれる脚当て部３７が設けられている。
【００３１】
荷重負荷装置４は図１に示されたようにウェイトフレーム４１内に荷重負荷の設定が任意に可能なウェイト４０を備えている。ウェイトフレーム４１はストッパー４４によって床面において支持されている。ウェイト４０は複数のウェイトブロック４００からなり、前記使用者の要望に応じて荷重負荷が設定される。ウェイト４０には索条４３が連結されている。索条４３は滑車４５，４６及び４７を中継して連結アーム２８と連結している。また、ウェイトフレーム４１内においてはウェイト４０の昇降を安定駆動させるために一対の摺動レール４８が設けられている。さらに、ウェイトフレーム４１内の補強部４１１にはウェイトブロック４００に手などを挟まないためにカバー４１２が適宜の高さで設けられている。尚、ウェイトフレーム４１の上部にはトレーニングマシーン１の使用方法を掲示すると共に滑車４５を遮蔽するボックス４１３が取付けられている。
【００３２】
次に、設定グリップ２４の詳細な構成について説明する。
【００３３】
図４Ｂは設定グリップの周辺部を示した側面図である。図４Ｃは設定グリップの断面図である。図４Ｄはチェンジプレートの概略図である。
【００３４】
設定グリップ２４は、図４Ｃに示されたように、プッシュボタン２４１を備えたグリップ２４０と、プッシュボタン２４１の接触圧によって揺動するアームリンク２４３を格納したアームケーシング２４２と、アームリンク２４３の揺動によって往復動するピン２４５を備えたシリンダー２４４とを備える。
【００３５】
プッシュボタン２４１はノブ２４１ａとシャフト２４１ｂとからなる。グリップ２４０の端部にはシャフト２４１ｂを摺動可能に支持するエンドリング２４０ａが取り付けられている。このとき、シャフト２４１ｂにはストッパーリング２４１ｃが付帯され、シャフト２４１ｂがグリップ２４０から外れないようになっている。
【００３６】
アームケーシング２４２は図４Ｂ及び図４Ｃに示されたように円筒状をなし、その側面にグリップ２４０が接続されている。アームケーシング２４２にはプッシュボタン２４１のシャフト２４１ｂを導入するシャフトホール２４０ａが形成されている。シャフトホール２４０ａの径はシャフト２４１ｂの径により定まる。一方、シャフト２４１ｂは、アームケーシング２４２内に必要最低限導入される部分以外の径が前記導入される部分の径よりも大きく設定されることで、プッシュボタン２４１による往復動範囲が規定されている。
【００３７】
アームケーシング２４２内のアームリンク２４３はボルト軸２４６を介して揺動可能となるようにアームケーシング２４２内において支持されている。ボルト軸２４６はアームケーシング２４２の内壁面に取り付けられた取付部２４７によって支持されている。
【００３８】
シリンダー２４４は使用者側からメインアーム２０を貫通して設けられる。シリンダー２４４は図４Ｂに示されたように回転軸２７の下側すなわち回転軸２７とバランスウェイト２２の間に設けられている。より好ましくは、前記使用者が着座部３のシートパッド３１に着座した状態で前記使用者の手が設定グリップ２４に届くような位置に設置される。シリンダー２４４内のピン２４５はその一端側に遊貫されたボルト軸２４８を介してアームリンク２４３と連結される。また、ピン２４５の他端側付近にはシリンダー２４４内に設けられたスプリング２４９の接触圧を受けるストッパーリング２４５ａを備えている。ストッパーリング２４５ａはピン２４５の先端から一定の距離を隔てた位置に設けられる。具体的にはチェンジプレート２６に形成された位置決め穴２６１を貫通できる程度の位置に設けられる。
【００３９】
設定グリップ２４は、チェンジプレート２６において操作アーム２の揺動開始位置として形成された位置決め穴２６１のいずれかにピン２４５を挿入させることで、前記揺動開始位置を任意に選択できるようになっている。チェンジプレート２６は、図４Ａ及び図４Ｂに示したように、連結アーム２８のメインアーム２０側の側面に取り付けられている。
【００４０】
チェンジプレート２６は、図４Ｄに示されたように、略扇型に形成された板状部材２６０からなり、板状部材２６０には、ピン２４５が解除可能に挿入される複数の位置決め穴２６１が一定の距離を隔てて同一円周上に形成されている。チェンジプレート２６には位置決め穴２６１に対応するポジション番号を示した番号シール２６２が付されている。本実施形態では位置決め穴２６１が４個形成されているが、位置決め穴２６１の望ましい個数はこれに限定されるものではない。尚、チェンジプレート２６には長穴２６３が形成されると共に、メインアーム２０のチェンジプレート２６側の側面には長穴２６３に収容されるストッパー２０１（図４Ａ参照）が設けられることで、前記揺動開始位置が制限されている。
【００４１】
次に、設定レバー２３の詳細な構成について説明する。
【００４２】
図５Ａは操作アームの外観図である。図５Ｂは操作アームの組立図である。図５Ｃは設定レバーの概略構成図である。
【００４３】
設定レバー２３は、図５Ｂに示されたように、略エル字型の棒状部材からなる選択アーム２３１を備えたアームリンク２３２と、このアームリンク２３２を揺動可能に備えるグリップ２３３と、このグリップ２３３を備えたハンドル２３４内に設置されたシリンダー２３５内のスプリング２３６によって付勢されるピン２３７とを備える。
【００４４】
アームリンク２３２は、図５Ｂに示されたように、二枚の板状の部材からなり、これらの部材が選択アーム２３１を挟み込み溶接固定したような形態となっている。そして、ハンドル２３４に設けられた連結部２３３ａにおいてボルト軸２３３ｂとワッシャ２３３ｃ，２３３ｄとナット２３３ｅとにより揺動可能に設けられる。尚、ボルト軸２３３ｂは連結部２３３ａにおいて遊貫された状態で取り付けるとアームリンク２３２の揺動がスムーズになる。
【００４５】
グリップ２３３はハンドル２３４の下側の側面部に設けられる。ハンドル２３４は、管状に形成され、メインアーム２０において揺動可能に連結される一対の連結プレート２３８を備える。一方、メインアーム２０における連結プレート２３８の連結部位にはプレート受け部２０２が設けられ、これに連結プレート２３８が連結されるような形態となっている。
【００４６】
連結プレート２３８にはメインアーム２０において遊転するグリップ連結軸２３９が挿通される挿通口２３８ａが形成されている。一方、メインアーム２０におけるプレート受け部２０２にはグリップ連結軸２３９がメインアーム２０の回転軸２７と平行に挿通されるグリップ回転軸穴２０２ａが形成されている。
【００４７】
そして、連結プレート２３８間にメインアーム２０を介在させてから挿通口２３８ａ及びグリップ軸穴２０２ａにグリップ連結軸２３９を挿入させ、このグリップ連結軸２３９の両端にボルト軸２３９ａとワッシャ２３９ｂ，２３９ｃを装着することで、設定レバー２１がメインアーム２０において揺動可能に具備される。
【００４８】
ピン２３７は、図５Ｃに示されたように、ボルト軸２３７ｂを介してアームリンク２３２に連結されている。このときボルト軸２３７ｂはピン２３７において遊貫された状態にするとピン２３７の往復動がスムーズになる。ピン２３７はストッパーリング２３７ａを備えている。そして、ストッパーリング２３７ａがハンドル２３４内に設けられたシリンダー２３５内のスプリング２３６の接触圧を受けることによってピン２３７が付勢される。ストッパーリング２３７ａはピン２３７の先端から一定の距離を隔てた位置に設けられる。例えば、ストッパーリング２３７ａは位置決め部２５に形成された位置決め穴２５１を貫通できる程度の位置に設けられる。
【００４９】
位置決め部２５は、図５Ａに示されたように、メインアーム２０の設定レバー２３側の側面に形成される。位置決め部２５は位置決め穴が形成された面を複数有する。本実施形態例では、位置決め部２５において３つの面がメインアーム２０の長手方向に対して適度な角度で確保され、図５Ｂに示されたように、位置決め穴２５１ａ，２５１ｂ，２５１ｃのように、各面において位置決め穴が１個づつ形成されている。尚、メインアーム２０の荷重負荷装置４側面には連結プレート２３８の揺動範囲を制限するためのストッパー２０４が設けられることで、設定レバー２３の揺動範囲が制限されている。
【００５０】
背当てパッド２１は、図５Ａに示されたように、パッド固定アーム２１０を介してメインアーム２０の上端付近の正面側において揺動可能に設けられている。パッド固定アーム２１０はメインアーム２０のグリップ回転軸２３９と平行となるように一対の連結プレート２１１によってメインアーム２０に連結される。
【００５１】
より具体的には図５Ｂに示したように、メインアーム２０における連結プレート２１１の連結部位にプレート受け部２０３が設けられ、これに連結プレート２１１が連結されるような形態となっている。
【００５２】
連結プレート２１１にはメインアーム２０において遊転するパッド連結軸２１２が挿通される挿通口２１１ａが形成されている。一方、メインアーム２０におけるプレート受け部２０３にはパッド連結軸２１２がグリップ回転軸２３９と平行に挿通されるパッド連結軸穴２０３ａが形成されている。パッド連結軸２１２は連結プレート２１１に固定させるフランジ２１２ａを備える。
【００５３】
そして、連結プレート２１１間にメインアーム２０を介在させてから挿通口２１１ａ及びパッド連結軸穴２０３ａにパッド連結軸２１２を挿入させ、このパッド連結軸２１２のフランジ２１２ａを一方の連結プレート２１１ａにおいて螺子２１２ｂによって固定すると共に、パッド連結軸２１２のもう一端側にボルト軸２１２とワッシャ２１２ｄ，２１２ｄを装着することで、背当てパッド２１がメインアーム２０において揺動可能に具備される。
【００５４】
背当てパッド２１と設定レバー２３は、図５Ａに示されたように、連結棒２９を介して連結されている。
【００５５】
連接棒２９は下端側に設定レバー２３のハンドル２３４に設けられた連結部２３４ａに連結されるスリーブ２９１を有する。スリーブ２９１にはボルト軸２３４ｃが遊貫される軸穴２９１ａが形成されている。連結部２３４ａにはボルト軸２３４ｃが挿通される軸穴２３４ｂが形成されている。軸穴２９１ａ及び２３４ｂに挿通されたボルト軸２３４ｃには適宜にワッシャ２３４ｄ，２３４ｅを介してナット２３４ｆが装着される。連接棒２９はもう一端側に背当てパッド２１のパッド固定アーム２１０に設けられた連結部２１０ａに連結されるスリーブ２９２を有する。スリーブ２９２にはボルト軸２１０ｃが遊貫される軸穴２９２ａが形成されている。連結部２１０ａにはボルト軸２１０ｃが挿通される軸穴２１０ｂが形成されている。軸穴２９２ａ及び２１０ｂに挿通されたボルト軸２１０ｃには適宜にワッシャ２１２ｄ，２１２ｅを介してナット２１２ｆが装着される。
【００５６】
次に図１〜図３及び図６Ａ〜図６Ｄを参照しながら脚当て部３７の構成について詳細に説明する。図６Ａは着座部の側面図である。図６Ｂは位置選択レバーを備えたトンネル部のａ−ａ’断面図である。図６Ｃは位置選択レバーの側面図である。図６Ｄは位置選択レバーの平面図である。
【００５７】
脚当て部３７は、図１〜図３に示したように、シートパッド３１に着座した使用者の右脛の接触圧を受ける右脚当てパッド３７０ａを備えた右アーム３７１ａと、前記使用者の左脛の接触圧を受ける左脚当てパッド３７０ｂを備えた左アーム３７１ｂと、右アーム３７１ａと左アーム３７１ｂとを備えると共に支持部３４の長手方向に移動可能に設けられるトンネル部３７２と、支持部３４における脚当て部３７の位置を選択するための手段としての位置選択レバー３７３とを備える。
【００５８】
位置選択レバー３７３はトンネル部３７２の上部に設置される。位置選択レバー３７３は、図６Ｃに示されたように、鈍角に屈曲された棒状の部材からなる選択アーム６０を備えたアームリンク６１と、トンネル部３７２の上側の側面に設けられアームリンク６１を揺動可能に支持する支持部６２と、トンネル部３７２の上部に接続されたシリンダー６３内のスプリング６４によって付勢され支持部３４において脚当て部３７の設置位置として形成された設置位置決め穴３７５に挿入されるピン６５とを備える。これらの構成要素は、図６Ａ及び図６Ｂに示されたように、ボックス６６内に格納されている。設置位置決め穴３７５は図６Ｃに示されたように支持部３４に設けられたシート調節プレート３７４を貫通するように形成されている。尚、シート調節プレート３７４近傍には図３に示されたように位置決め穴３７５に対応するポジション番号が付されている。
【００５９】
アームリンク６１は、図６Ｄに示されたように、二枚の板状部材からなり、これら板状部材が選択アーム６０を挟み込み溶接固定したような形態となっている。そして、支持部６２においてボルト軸６２１とナット６２２により揺動可能に設けられる。ボルト軸６２１は支持部６２において遊貫された状態にするとアームリンク６１の揺動がスムーズになる。
【００６０】
ピン６５は、図６Ｃ及び図６Ｄに示されたように、ボルト軸６５１とナット６５２によってアームリンク６１に連結されている。ボルト軸６５１はピン６５において遊貫された状態にするとピン６５の往復動がスムーズになる。ピン６５はストッパーリング６５３を備えている。ピン６５はストッパーリング６５３がシリンダー６３内のスプリング６４の接触圧を受けることによって付勢される。ストッパーリング６５３はピン６５の先端から一定の距離を隔てた位置に設けられる。ストッパーリング６５３は支持部３４とこの上面に設置された調節プレート３７４において右脚当てパッド３７０ａ及び左脚当てパッド３７０ｂの設置位置として複数形成された設置位置決め穴３７５を貫通できる程度の位置に設けられる。
【００６１】
右アーム３７１ａ及び左アーム３７１ｂは図６Ａに示されたように適度の角度でトンネル部３７２に溶接固定されている。また、トンネル部３７２は図６Ｂに示されたように支持部３４を挿通させた状態で複数のボルトによってリニアガイド枠３７６に装着されている。リニアガイド枠３７６には支持部３４の下面に設置されたリニアガイドレール３７７を摺動するリニアガイド３７８が複数のボルトによって設けられている。リニアガイドレール３７７は、図６Ａに示されたように、支持部３４の上面に設けられた調節プレート３７４に対して平行に設けられている。尚、支持部３４の下面にはトンネル部３７２の動作範囲を制限するための一対のストッパー３７９が設けられている。
【００６２】
次に本実施形態例のトレーニングマシーンの動作例について説明する。
【００６３】
図８に示されたようにシートパッド３１に着座している使用者８は筋肉トレーニングを始める際、先ず、操作アーム２の揺動開始位置が望みの位置であるか否かを確認する。そして、前記揺動開始位置を変える必要があると判断した場合、使用者８は着座した状態で設定グリップ２４に具備されたプッシュボタン２４１によって前記揺動開始ポジションを望みの位置に変更する。
【００６４】
すなわち、使用者８が設定グリップ２４を掴んでいる右手の親指によってプッシュボタン２４１を押すと、グリップ２４０内のシャフト２４１ｂは、図４Ｃに示されたように、アームケーシング２４２内に導入され、シャフト２４１ｂの先端はアームリンク２４３に接触する。このとき、シャフト２４１ｂとアームリンク２４３との接点は力点として、アームリンク２４３を支持しているボルト軸２４６は支点として、アームリンク２４３とピン２４５とを連結しているボルト軸２４７は作用点として働き、ピン２４５は図４Ｃに示された実線矢印方向に誘導され、ピン２４５がチェンジプレート２６の位置決め穴２６１から解除された状態となる。そして、この状態で設定グリップ２４を動かしてピン２４５の先端を図４Ｄに示されたチェンジプレート２６における所望の位置決め穴２６１に合わした後、プッシュボタン２４１を放すと、シリンダー２４４内のストッパーリング２４５ａはスプリング２４８の接触圧を受けて押され、これによりピン２４５がチェンジプレート２６の位置決め穴２６１を貫通する。以上のように、使用者８はシートパッド３１に着座したままで操作アーム２の揺動開始位置を選択できる。
【００６５】
次いで、背当てパッド２１の設定位置が望みの位置であるか否かを確認する。前記設定位置を変える必要があると判断した場合、使用者８は着座した状態で設定レバー２３に具備された選択アーム２３１によって前記設置位置を望みの位置に変更する。
【００６６】
すなわち、使用者８がグリップ２３３を保持している右手によって選択アーム２３１を図７（ａ）に示されたように実線矢印方向に揺動させると、選択アーム２３１とアームリンク２３２との接点は力点として、アームリンク２３２を支持しているボルト軸２３３ｂは支点として、アームリンク２３２とピン２３７とを連結しているボルト軸２３７ｂは作用点として働く。これにより、ピン２３７は、図７（ｂ）に示されたように、ハンドル２３４内に誘導され、ピン２３７が位置決め部２５の位置決め穴（ここでは位置決め穴２５１ｂ）から解除された状態となる。そして、ピン２３７が位置決め穴２５１ｂから解除された状態で、図７（ｃ）に示したように、設定レバー２３を動かしてピン２３７の先端を位置決め部２５の望みの位置決め穴（ここでは位置決め穴２５１ｃ）に合わした後、選択アーム２３１を放すと、ハンドル２３４内に導入されているピン２３７のストッパーリング２３７ａはスプリング２３６の接触圧を受けて押され、ピン２３７が位置決め部２５の位置決め穴２５１ｃに挿入される。以上のように、使用者８はシートパッド３１に着座したままで背当てパッド２１の設定位置を選択できる。
【００６７】
次に、脚当て部３７の設定位置が望みの位置であるか否かを確認する。前記設定位置を変える必要があると判断した場合、使用者８は着座した状態で脚当て部３７に具備された位置選択レバー３７３によって前記設定位置を望みの位置に変更する。
【００６８】
すなわち、使用者８はシートパッド３１に着座した状態で位置選択レバー３７３を図６Ｃに示されたように実線矢印方向に揺動させると、選択アーム６０とアームリンク６１との接点は力点として、アームリンク６１を支持しているボルト軸６２１は支点として、アームリンク６１とピン６５とを連結しているボルト軸６５１は作用点として働く。これにより、ピン６５は、シリンダー６３内に誘導され、ピン６５が支持部３４の位置決め穴３７５から解除された状態となる。そして、ピン６５が位置決め穴３７５から解除された状態で、位置選択レバー３７３を動かしてピン６５の先端を支持部３４上の調節プレート３７４に形成されている望みの位置決め穴３７５に合わした後、位置選択レバー３７を放すと、シリンダー６３内に導入されているピン６５のストッパーリング６５３がスプリング６４の接触圧を受けて押され、ピン６５が前記所望の位置決め穴３７５に挿入される。以上のように、使用者８はシートパッド３１に着座したままで脚当て部３７の設定位置を選択できる。
【００６９】
その後、図８に示したように、使用者８は背中を背当てパッド２１に宛がい矢印の方向に操作アーム２を揺動させると、所定部位の筋肉、特に、脊柱起立筋の鍛錬が行なえる。そして、適時、設定グリップ２４によって操作アーム２の揺動開始ポジションの選択及び設定レバー２３によって背当てパッド２１の位置の選択を行なうことにより、一層効果的な筋肉の鍛錬が可能となる。
【００７０】
したがって、本実施形態例に係るトレーニングマシーン１によれば、使用者８が着座した状態であっても操作アーム２の揺動開始位置と背当てパッドの設置位置の設定を容易に行える。
【００７１】
尚、以上述べたトレーニングマシーンは、操作アーム２の揺動開始ポジション及び背当てパッドの設置位置の選択機構が右利き仕様となっているが、この仕様に限定されず、左利き仕様に構成してもよい。
【図面の簡単な説明】
【００７２】
【図１】本発明の一実施形態例であるトレーニングマシーンの側面図。
【図２】前記トレーニングマシーンの正面図。
【図３】前記トレーニングマシーンの平面図。
【図４Ａ】前記操作アームの取り付け状態を説明した断面図。
【図４Ｂ】前記操作アームの操作レバー周辺の側面図。
【図４Ｃ】前記設定グリップの断面図。
【図４Ｄ】前記操作アームに具備されたチェンジプレートの概略図。
【図５Ａ】前記トレーニングマシーンに係る操作アームの外観図。
【図５Ｂ】前記操作アームの組立図。
【図５Ｃ】設定レバーの概略構成図。
【図６Ａ】着座部の側面図。
【図６Ｂ】位置選択レバーを備えたトンネル部のａ−ａ’断面図。
【図６Ｃ】位置選択レバーの側面図。
【図６Ｄ】位置選択レバーの平面図である。
【図７】設定レバーの動作例の説明図。
【図８】本発明のトレーニングマシーンを使用している様子の説明図。
【図９】従来のトレーニングマシーンの概略構成図。
【図１０Ａ】従来のトレーニングマシーンに係る操作アームに具備された背当てパッドの概略図。
【図１０Ｂ】従来のトレーニングマシーンに係る操作アームに具備されたチェンジプレートの取り付け説明図。
【符号の説明】
【００７３】
１…トレーニングマシーン
２…操作アーム
３…着座部
４…荷重負荷装置
２１…背当てパッド
２３…設定レバー
２４…設定グリップ
２５…位置決め部
２６…チェンジプレート
３７…脚当て部
３７３…位置選択レバー
【図１】
2006212320.tif 000003
【図２】
2006212320.tif 000004
【図３】
2006212320.tif 000005
【図４Ａ】
2006212320.tif 000006
【図４Ｂ】
2006212320.tif 000007
【図４Ｃ】
2006212320.tif 000008
【図４Ｄ】
2006212320.tif 000009
【図５Ａ】
2006212320.tif 000010
【図５Ｂ】
2006212320.tif 000011
【図５Ｃ】
2006212320.tif 000012
【図６Ａ】
2006212320.tif 000013
【図６Ｂ】
2006212320.tif 000014
【図６Ｃ】
2006212320.tif 000015
【図６Ｄ】
2006212320.tif 000016
【図７】
2006212320.tif 000017
【図８】
2006212320.tif 000018
【図９】
2006212320.tif 000019
【図１０Ａ】
2006212320.tif 000020
【図１０Ｂ】
2006212320.tif 000021